(57)【要約】インターネットオブジェクトを表示する方法が提案される。この方法は、インターネットのソースコードからフィルタによって、関連するデータのみの表示を許可することに使用される。これによってユーザの快適性及び操作の快適性が向上される。関連しないデータを単に非アクティブにして表示することができるか、除去することができる。インターネットオブジェクトを、例えばＤＡＢのようなディジタル無線伝送方式によってロードすることもできる。
2004520647.tif 000002
【特許請求の範囲】
【請求項１】
ソースコードを有するインターネットオブジェクトを伝送する、インターネットオブジェクトを表示する方法において、
表示装置（６）に表示する前にフィルタデータを形成し、
ソースコードを前記フィルタデータを用いて、該ソースコードの要素と該フィルタデータとの一致性について検査し、
インターネットオブジェクトの表示を前記検査に依存して行うことを特徴とする、インターネットオブジェクトを表示する方法。
【請求項２】
前記フィルタデータと一致しない、インターネットオブジェクトまたは該インターネットオブジェクトの一部を非アクティブにする、請求項１記載の方法。
【請求項３】
前記フィルタデータと一致しない、インターネットオブジェクトまたは該インターネットオブジェクトの一部を除去する、請求項１または２記載の方法。
【請求項４】
ユーザ及び／又は位置測定装置（１６）及び／又は時計（１７）が前記フィルタデータを形成する、請求項１から３のいずれか１項記載の方法。
【請求項５】
前記インターネットオブジェクトをディジタル無線伝送方式を用いてロードする、請求項１から４のいずれか１項記載の方法。
【請求項６】
前記インターネットオブジェクトにおける参照記号を、前記ディジタル無線伝送方式によってさらにロードする必要があるさらなるインターネットオブジェクトについて非アクティブにする、請求項５記載の方法。
【請求項７】
前記インターネットオブジェクトにおける参照記号を、前記ディジタル無線伝送方法によってさらにロードする必要があるさらなるインターネットオブジェクトについて除去する、請求項５記載の方法。
【請求項８】
前記インターネットオブジェクトにおける参照記号を、前記ディジタル無線伝送方法によってさらにロードする必要があるさらなるインターネットオブジェクトについてアクティブな状態で表示する、請求項５記載の方法。
【請求項９】
請求項１から８のいずれか１項記載の方法を実施する装置において、
該装置はインターネットオブジェクト用のロード装置（１、２）、入力装置（１０）、プロセッサ（３）、メモリ（４）、表示部（６）及びスピーカ（７）を有することを特徴とする、装置。
【請求項１０】
前記装置は電子的な持ち運び機器として構成されている、請求項９記載の装置。
【発明の詳細な説明】
【０００１】
従来技術
本発明は独立請求項の上位概念による、インターネットオブジェクトを表示する方法に関する。
【０００２】
記述言語ＨＴＭＬ（Ｈｙｐｅｒ Ｔｅｘｔ Ｍａｒｋｕｐ Ｌａｍｇｕａｇｅ）で既述されるインターネットページは、内容及び端末機器の表示可能性に依存せずに表示される。ＨＴＭＬの一種の拡張形態を表すページ記述言語ＸＭＬ（拡張可能なマークアップ言語、Ｅｘｔｅｎｄｅｄ Ｍａｒｋｕｐ Ｌａｎｇｕａｇｅ）を導入することにより、少なくとも表示を端末機器に適合させることは可能である。これを基礎として、インターネットページのための改善された表示方法を提供するという課題が生じる。
【０００３】
発明の利点
独立請求項の特徴を有する、インターネットオブジェクトを表示する本発明による方法はこれに対して以下の利点を有する。すなわち、関連するインターネットオブジェクトまたはインターネットオブジェクトの一部のみが表示され、情報を選択する際の操作の快適性及び読込の快適性の向上、ユーザの負担の軽減並びにオブジェクトデータの圧縮が実現される。殊に情報を選択する際のユーザの負担の軽減は大きな利点であり、何故ならばユーザは自身が所望する情報を得るために、興味のない多数の不必要な情報を検討する必要はないからである。
【０００４】
従属請求項に記載されている措置及び構成によって、独立請求項に記載されているインターネットオブジェクトを表示する方法の有利な改善が可能となる。
【０００５】
殊に有利には、フィルタデータと一致しなかったインターネットオブジェクトまたはそのインターネットオブジェクトの一部は非アクティブにされる。択一的に、インターネットオブジェクトまたはこのインターネットオブジェクトの一部を除去することも可能である。
【０００６】
それに加え有利には、ユーザまたは位置測定装置または時計がフィルタデータを形成し、このフィルタデータを用いてインターネットオブジェクトのソースコードがフィルタリングされる。
【０００７】
インターネットオブジェクトをディジタル無線伝送方式、例えばＤＡＢ（Ｄｉｇｉｔａｌ Ａｕｄｉｏ Ｂｒｏａｄｃａｓｔｉｎｇ）を用いてロードできることは有利であり、何故ならばそのような無線伝送方式は広い帯域幅を有し、伝送時間に関する費用は顧客には生じないからである。インターネットオブジェクト自体であっても良い、インターネットオブジェクトにおける参照記号を、まだロードされていない別のインターネットオブジェクトについて非アクティブにすることができ、これはこのまだロードされていないインターネットオブジェクトがディジタル無線伝送システムによってロードされるまで継続される。これらの参照記号を択一的に、除去してまたはアクティブの状態で表示することができる。
【０００８】
最後に、本発明による方法を実施する装置が設けられることは有利である。この装置はロード装置、ディジタル無線伝送方式の場合にはインターネットオブジェクトための受信局、ユーザ用の入力装置、本発明による方法を実施するプロセッサ、メモリ、表示部及びスピーカを有し、ここではこの装置を位置測定装置ないし時計と接続することができる。本発明による装置を電子的な持ち運び機器としても構成することができ、殊に操作の快適性が向上されているという利点を使用することができる。何故ならば、携帯可能な電子的な持ち運び機器は卓上計算機ほどの快適な操作可能性を有さないからである。
【０００９】
図面
本発明の実施例を図面に示し、以下詳細に説明する。ここで図１は、本発明による装置のブロック図であり、図２は本発明による方法のフローチャートであり、図３は本発明による装置の第２のブロック図であり、図４はフィルタリングされるインターネットページの一例である。
【００１０】
説明
インターネットにおいて情報を検索する場合、情報選択は時間の掛かる要素である。検索エンジンを使用すること自体が頻繁にユーザには興味のない情報を多く供給してしまう。ユーザは所望の情報を発見するまで個々の検索結果を検討しなければならない。例えば、ここでは１つのインターネットページが複数のインターネットオブジェクトを有するインターネットページの受信に適している携帯可能な機器、すなわち電子的な持ち運び機器では、選択に非常に時間がかかり且つ繁雑になる可能性がある。何故ならばここでは操作可能性は卓上計算機ほどに快適なものではないからである。したがって本発明によれば、インターネットオブジェクトがソースコードに関してフィルタデータによってフィルタリングされる。今日使用可能なインターネットブラウザでは、インターネットページのソースコードを閲覧することができ、それどころかコピー機能によって自分のものにすることができる。
【００１１】
ここでしたがって本発明によれば、ソースコードにおいて要素がユーザにとっての関連性に応じて検索される。関連性を規定するフィルタデータが局所的に形成され、フィルタデータをユーザ自身によって設定することができるか、または例えば位置測定装置、または時計によって設定することができ、位置測定装置によって設定されると地理に関連するデータが表示され、時計によって設定されると時間に関連するデータが表示される。
【００１２】
関連するデータ及び関連しないデータの表示を、関連するデータの完全なアクティブ化により行うことができるか、関連しないデータの全除去により行うことができる。関連しないデータでは、例えば一般的にリンクと称される参照記号の非アクティブも行うことができる。ここで１つのインターネットオブジェクトは、一方では関連するデータであり他方では関連しないデータである複数のデータを有することができる。したがって本発明によればインターネットオブジェクトの一部をアクティブにし、他の部分を非アクティブにすることも可能である。
【００１３】
インターネットデータをディジタル無線伝送方式によっても受信することができる。このディジタル無線伝送方式にはＤＡＢ、しかしながらまたＤＶＢ及びＤＲＭ（Ｄｉｇｉｔａｌ Ｒａｄｉｏ Ｍｏｎｄｉａｌ）、並びにシリウス（Ｓｉｒｉｕｓ）のような衛星支援型のディジタルラジオが含まれる。このディジタル無線伝送方式はインターネットページのようなマルチメディアデータを送信することができる。そのようなマルチメディアデータにはテキスト、グラフィック、ビデオ及びアニメーションが属する。さらにはオーディオデータも伝送することができる。そのような無線伝送方式の他に、ＧＳＭまたはＵＭＴＳのような移動無線方式もインターネットページの伝送に適している。この移動無線伝送方式を、ＤＡＢのようなディジタル無線伝送方式が行きチャネルとして使用される場合には、例えば狭帯域の戻りチャネルとして使用することができる。勿論、モデムによって固定網を介してデータを受信することも可能である。
【００１４】
図１には本発明による装置がブロック図として示されている。ここではインターネットオブジェクトが、ＤＡＢのようなディジタル無線伝送方式を介して受信される。アンテナ１は無線信号を受信し、高周波受信器２はこの無線信号をフィルタリング、増幅及び中間周波数へと変換し、並びにこの無線信号をディジタル化する。そのようにして発生したディジタルデータストリームは、次いでプロセッサ３に伝送され、このプロセッサ３は復号及び復調を行う。これによって求められたインターネットページはプロセッサ３によって、データ入力／出力側を介してプロセッサ３と接続されているメモリ４に中間記憶される。インターネットオブジェクトはプロセッサ３によって、メモリ４にもファイルされているフィルタデータに応じてフィルタリングされ、関連するインターネットオブジェクトが漸く信号処理部５及び表示部６ないしオーディオ事前処理部８及びスピーカ７を用いて示される。
【００１５】
信号処理部１１を介して入力装置１０もプロセッサ３と接続されている。入力装置１０を介してユーザはフィルタデータを直接入力することができ、勿論これによってインターネットページの選択が可能である。入力装置として通常の場合キーボード、必要に応じてコンピュータマウスまたはトラックボールが設けられている。しかしながら音声制御、もしくはそれどころか注視方向制御（Ｂｌｉｃｋｒｉｃｈｔｕｎｇｓｓｔｅｕｅｒｕｎｇ）も可能である。
【００１６】
図２には、本発明の方法がフローチャートで示されている。ステップ９では、無線信号におけるインターネットオブジェクトがアンテナ１及び高周波受信器２を用いて受信され、ディジタルデータストリームとしてプロセッサ３に伝送され、プロセッサ３は、このディジタルデータストリームをメモリ４に中間記憶し、フィルタリングを開始することができる。ステップ１２では、プロセッサ３がメモリ４からフィルタデータをロードする。必要に応じてさらに別のフィルタデータが更新されて形成される。このことを、本発明による装置がブロック１５で示されている図３によれば、位置測定装置１６及び／又は時計１７によって行うことができ、これら２つはデータを本発明による装置に伝送する。個々のフィルタデータをユーザによっても選択することができる、これらのフィルタデータから、受信したインターネットオブジェクトのソースコードのフィルタリングが行われる。このことはステップ１３において行われ、このステップではソースコードにおけるデータとフィルタデータとの一致性が検査される。
【００１７】
例えばソースコードにおける概念「天気」が検索され、その結果概念「天気」を有する、ソースコードのインターネットオブジェクトないし要素のみが表示される。プロセッサ３は種々の概念に応じてインターネットオブジェクトを整理して表示することも可能である。このことは、例えば先ず概念「天気」を包含するインターネットオブジェクトが表示され、次に概念「取引」を包含するオブジェクトが表示され、最後に概念「スポーツ」を包含するオブジェクトが表示されることによって行われる。ステップ１４では表示部６を用いて相応のインターネットオブジェクトの表示が行われる。
【００１８】
図４には、フィルタリングの別の実施例が示されている。ここでは、リンクと称される参照記号Ａ、Ｂ、Ｃが、受信したインターネットページ内に存在している。下線が付されていることによって、このリンクはアクティブであることがシンボリックに表される。フィルタはリンクＡが非アクティブにされ（不能、Ｄｉｓａｂｌｅ）、またリンクＢが除去される（秘匿、Ｈｉｄｅ）ことを決定する。このことは、リンクＣがフィルタデータと一致したことを意味している。右側のブロックには、今や表示されるリンクが示される。リンクＡは非アクティブな状態で表示され、したがって下線は無く、リンクＣはアクティブな状態で表示される。リンクＢは除去されるので、このリンクＢの表示は行われない。
【００１９】
他の可能性は、所定の判定基準が充足される場合には、インターネットオブジェクトの一部としてのリンクまたはパスが色を用いて強調される。例えば先ず比較的費用のかかる移動無線コネクションを確立する必要があるリンクは赤で表示される。この付加的な情報は選択の際にユーザの補助となる。
【図面の簡単な説明】
【図１】
本発明による装置のブロック図である。
【図２】
本発明による方法のフローチャートである。
【図３】
本発明による装置の別のブロック図である。
【図４】
フィルタリングされるインターネットページの一例である。
【図４】
2004520647.tif 000003
【国際公開パンフレット】
2004520647.tif 000004
2004520647.tif 000005
2004520647.tif 000006
2004520647.tif 000007
2004520647.tif 000008
2004520647.tif 000009
2004520647.tif 000010
2004520647.tif 000011
2004520647.tif 000012
2004520647.tif 000013
2004520647.tif 000014
2004520647.tif 000015
【国際公開パンフレット（コレクトバージョン）】
2004520647.tif 000016
【国際調査報告】
2004520647.tif 000017
2004520647.tif 000018
2004520647.tif 000019
2004520647.tif 000020
2004520647.tif 000021
2004520647.tif 000022
2004520647.tif 000023
2004520647.tif 000024
2004520647.tif 000025
2004520647.tif 000026